(57)【要約】      （修正有）【課題】簡易防水を実現しつつ出来る限り容易に製造可能なコネクタ付き電線の提供。【解決手段】圧着端子３１は、コネクタ１０の収容室１３への収容時に絶縁電線Ｗａ側の端部が収容室１３内に位置することになる長さを有する。保護部材２０は、圧着端子３１が収容された収容室（第１収容室１３Ａ）において絶縁電線Ｗａに密着する内周面及び第１収容室１３Ａに密着する外周面を有する環形状を有すると共に第１収容室１３Ａに挿入される第１部分と、絶縁電線Ｗａの圧着端子３１が収容されていない収容室（第２収容室１３Ｂ）において第２収容室１３Ｂに密着する外周面を有する柱形状を有すると共に第２収容室１３Ｂに挿入される第２部分２２と、第１部分２１及び第２部分２２を繋ぐ第３部分２３と、を有する。【選択図】図２
2017027785.tif 000002
【特許請求の範囲】
【請求項１】
複数の収容室を有するコネクタと、末端に端子が取り付けられた一又は複数の電線と、前記複数の収容室を保護する保護部材と、を備えたコネクタ付き電線であって、
前記端子は、
前記収容室に収容されたときに該端子の電線側の端部が前記収容室内に位置することになる長さを有し、
前記保護部材は、
前記電線の端子が収容された収容室である第１収容室において、前記電線に密着する内周面及び前記第１収容室に密着する外周面を有する環形状を有すると共に、前記電線と前記第１収容室との間の空間を埋めるように前記第１収容室に挿入される第１部分と、
前記電線の端子が収容されていない収容室である第２収容室において、前記第２収容室に密着する外周面を有する柱形状を有すると共に、前記第２収容室の開口部を埋めるように前記第２収容室に挿入される第２部分と、
前記第１部分及び前記第２部分を繋ぐ第３部分と、を有する、
コネクタ付き電線。
【請求項２】
請求項１に記載のコネクタ付き電線において、
前記第２収容室の軸線方向における前記第２部分の長さが、前記第１収容室の軸線方向における前記第１部分の長さよりも長い、
コネクタ付き電線。
【請求項３】
請求項１又は請求項２に記載のコネクタ付き電線において、
前記コネクタが、
前記収容室とは異なる空洞部であって、前記収容室が開口している端面に開口する空洞部を有し、
前記保護部材が、
前記空洞部において、前記空洞部に密着する外周面を有する柱形状を有すると共に、前記空洞部の開口部を埋めるように前記空洞部に挿入される第４部分、を有する、
コネクタ付き電線。
【請求項４】
請求項１〜請求項３の何れか一項に記載のコネクタ付き電線において、
前記保護部材が、
前記第１部分の前記環形状における周方向の少なくとも１箇所において、前記第１部分が不連続である分断部を有する、
コネクタ付き電線。
【請求項５】
請求項１〜請求項４の何れか一項に記載のコネクタ付き電線において、
前記保護部材が、
前記第１部分の外周面から前記第１収容室の内壁面に向けて突出すると共に前記外周面を周回する環状凸部、
前記第１部分の径方向の厚さが前記保護部材の電線側の端部から離れるにつれて徐々に小さくなるテーパ形状、
前記第２部分の外周面から前記第２収容室の内壁面に向けて突出すると共に前記外周面を周回する環状凸部、及び、
前記第２部分の径方向の厚さが前記保護部材の電線側の端部から離れるにつれて徐々に小さくなるテーパ形状、
の少なくとも１つを有する、
コネクタ付き電線。
【請求項６】
請求項１〜請求項５の何れか一項に記載のコネクタ付き電線において、
前記保護部材が、
複数の部材片の集合体であって、前記複数の部材片のうちの一の部材片が有する凹部と他の部材片が有する凹部とによって前記第１部分の前記内周面が形成されている、
コネクタ付き電線。
【発明の詳細な説明】
【技術分野】
【０００１】
本発明は、コネクタ付き電線に関する。
【背景技術】
【０００２】
従来から、電線と、電線の端末に設けられた端子（圧着端子）をキャビティ（収容室）に収容して保持したコネクタと、を備えたコネクタ付き電線が、自動車用のワイヤハーネス等に用いられている。この種のコネクタ付き電線について、近年、アルミニウムを導体として採用した電線（アルミニウム電線）を用いることが提案されている。アルミニウム電線を用いたコネクタ付き電線は、導体として銅が用いられる場合に比べて軽量かつ低コストであるものの、端子に用いられる材料（一般に、銅）とアルミニウムとの自然電位の差に起因し、端子と導体との接触部分に液体が付着したときに導体の腐食（いわゆるガルバニック腐食）が生じる場合がある。
【０００３】
特に、被水環境下（例えば、自動車のエンジンルーム内）で使用するコネクタ付き電線については、高度な防水性が求められるため、高コストではあるものの、防水用に専用設計されたコネクタ付き電線（いわゆる防水コネクタ）が用いられることが多い。一方、コネクタ付き電線が使用される環境によっては（例えば、自動車の床下内およびドア内に用いられる場合）、防水コネクタほどの高度な防水性が求められない場合がある。そのような場合、コスト削減の観点から、簡易的な防水機能を付加した通常のコネクタ付き電線（いわゆる非防水コネクタ）が用いられることがある。
【０００４】
例えば、従来のコネクタ付き電線の一つ（以下「従来例」という。）は、コネクタの収容室を保護する筒状のカバー部材を備え、そのカバー部材の一端（拡径部）をコネクタの外周面の全体に被せると共に、そのカバー部材の他端（縮径部）をテープによって電線に固定するようになっている。これにより、従来例は、コネクタの収容室を保護し、簡易的な防水機能をコネクタ付き電線に付加するようになっている（例えば、特許文献１を参照。）。
【先行技術文献】
【特許文献】
【０００５】
【特許文献１】特開２００２−１０１５２０号公報
【発明の概要】
【発明が解決しようとする課題】
【０００６】
ところで、上述した防水コネクタは、防水用に専用設計されたコネクタハウジング（例えば、防水パッキン等を内蔵している。）と、同様に専用設計された端子付き電線（例えば、防水キャップが端子に加締められている。）と、を備えることにより、高度な防水性を実現している。しかし、これら防水用の専用部品（防水パッキン及び防水キャップ等）に起因してコネクタハウジング及び端子付き電線が大型化するため、一般に、これら防水用の専用部品と通常のコネクタ付き電線（非防水コネクタ）との間には互換性がない。そこで、通常のコネクタ付き電線（非防水コネクタ）に簡易的な防水機能を付加するにあたり、従来の防水コネクタとは異なる手法が望まれている。
【０００７】
本発明は、上述した事情に鑑みてなされたものであり、その目的は、従来の防水コネクタとは異なる手法によって簡易防水を実現したコネクタ付き電線を提供することにある。
【課題を解決するための手段】
【０００８】
前述した目的を達成するために、本発明に係るコネクタ付き電線は、下記（１）〜（６）の特徴を有する。
（１）
複数の収容室を有するコネクタと、末端に端子が取り付けられた一又は複数の電線と、前記複数の収容室を保護する保護部材と、を備えたコネクタ付き電線であって、
前記端子は、
前記収容室に収容されたときに該端子の電線側の端部が前記収容室内に位置することになる長さを有し、
前記保護部材は、
前記電線の端子が収容された収容室である第１収容室において、前記電線に密着する内周面及び前記第１収容室に密着する外周面を有する環形状を有すると共に、前記電線と前記第１収容室との間の空間を埋めるように前記第１収容室に挿入される第１部分と、
前記電線の端子が収容されていない収容室である第２収容室において、前記第２収容室に密着する外周面を有する柱形状を有すると共に、前記第２収容室の開口部を埋めるように前記第２収容室に挿入される第２部分と、
前記第１部分及び前記第２部分を繋ぐ第３部分と、を有する、
コネクタ付き電線であること。
（２）
上記（１）に記載のコネクタ付き電線において、
前記第２収容室の軸線方向における前記第２部分の長さが、前記第１収容室の軸線方向における前記第１部分の長さよりも長い、
コネクタ付き電線であること。
（３）
上記（１）又は上記（２）に記載のコネクタ付き電線において、
前記コネクタが、
前記収容室とは異なる空洞部であって、前記収容室が開口している端面に開口する空洞部を有し、
前記保護部材が、
前記空洞部において、前記空洞部に密着する外周面を有する柱形状を有すると共に、前記空洞部の開口部を埋めるように前記空洞部に挿入される第４部分、を有する、
コネクタ付き電線であること。
（４）
上記（１）〜上記（３）の何れか一項に記載のコネクタ付き電線において、
前記保護部材が、
前記第１部分の前記環形状における周方向の少なくとも１箇所において、前記第１部分が不連続である分断部を有する、
コネクタ付き電線であること。
（５）
上記（１）〜上記（４）の何れか一項に記載のコネクタ付き電線において、
前記保護部材が、
前記第１部分の外周面から前記第１収容室の内壁面に向けて突出すると共に前記外周面を周回する環状凸部、
前記第１部分の径方向の厚さが前記保護部材の電線側の端部から離れるにつれて徐々に小さくなるテーパ形状、
前記第２部分の外周面から前記第２収容室の内壁面に向けて突出すると共に前記外周面を周回する環状凸部、及び、
前記第２部分の径方向の厚さが前記保護部材の電線側の端部から離れるにつれて徐々に小さくなるテーパ形状、
の少なくとも１つを有する、
コネクタ付き電線であること。
（６）
上記（１）〜上記（５）の何れか一項に記載のコネクタ付き電線において、
前記保護部材が、
複数の部材片の集合体であって、前記複数の部材片のうちの一の部材片が有する凹部と他の部材片が有する凹部とによって前記第１部分の前記内周面が形成されている、
コネクタ付き電線であること。
【０００９】
上記（１）の構成のコネクタ付き電線によれば、第１収容室に挿入される第１部分により、電線と収容室との間の隙間が埋められる。これにより、第１収容室の開口部（電線と収容室との間の隙間）を通過して水が収容室内に侵入することを防止できる。同様に、第２収容室に挿入される第２部分により、第２収容室への水の侵入を防止できる。更に、第１部分と第２部分とが第３部分によって一体化されているため、第１部分および第２部分のそれぞれを個別に収容室に挿入する場合に比べ、保護部材の取り付けが容易になる。その結果、電線付き端子およびコネクタの形状等を変更することなく（即ち、通常の非防水コネクタに対して）保護部材を取り付ける（収容室に挿入する）だけで、電線と端子との接続部に水が接触することを防止できる。したがって、本構成のコネクタ付き電線は、従来の防水コネクタとは異なる手法により、簡易防水を実現できる。
【００１０】
上記（２）の構成のコネクタ付き電線によれば、第１収容室に比べ、電線が収容されていない第２収容室の奥深くまで第２部分が挿入されることとなる。その結果、第２部分の長さが第１部分以下である場合に比べ、コネクタから保護部材が外れることをより確実に防止できる。
【００１１】
上記（３）の構成のコネクタ付き電線によれば、収容室とは異なる空洞部に挿入された第４部分によっても、コネクタに保護部材が保持されることになる。その結果、空洞部および第４部材が存在しない場合に比べ、コネクタから保護部材が外れることをより確実に防止できる。
【００１２】
上記（４）の構成のコネクタ付き電線によれば、第１部分に設けられた分断部を通じ、電線を第１部分の外側（外周面）から内側（内周面）に入れることができる。よって、例えば、コネクタの第１収容室に電線（端子）を収容した後に電線に保護部材を取り付けることができるため、電線に予め保護部材を取り付ける必要がない。よって、本構成のコネクタ付き電線は、電線へ保護部材を取り付ける工程を容易にできる。なお、分断部は第１部分を収容室へ挿入する際に自然に閉じることになるため、分断部を有していても防水機能は実質的に損なわれない。
【００１３】
上記（５）の構成のコネクタ付き電線によれば、環状凸部を有する第１部分を収容室へ嵌め込むことにより、環状凸部が第１収容室の内壁面に密着することになる。これにより、第１収容室の内壁面に対する第１部分の密着力が高まり、第１収容室から第１部分が抜けることをより確実に防止できる。一方、テーパ形状を有する第１部分を第１収容室に挿入することにより、第１収容室へ第１部分を挿入する工程を容易化できる。第２部分および第２収容室についても、同様である。
【００１４】
上記（６）の構成のコネクタ付き電線によれば、第１部分の環形状の内周面（中空部）に電線が入るように複数の部材片を組み合わせることにより、電線に保護部材を容易に取り付けることができる。
【発明の効果】
【００１５】
本発明によれば、従来の防水コネクタとは異なる手法によって簡易防水を実現できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、本発明の第１実施形態に係るコネクタ付き電線の後方側から視た概略斜視図である。
【図２】図２は、本発明の第１実施形態に係るコネクタ付き電線の後方側から視た概略分解斜視図である。
【図３】図３は、保護部材の斜視図である。
【図４】図４は、本発明の第２実施形態を説明する保護部材の斜視図である。
【図５】図５は、本発明の第３実施形態を説明するコネクタハウジング及び保護部材の斜視図である。
【図６】図６は、本発明の第４実施形態を説明する保護部材の後方側から視た斜視図である。
【図７】図７は、本発明の第５実施形態を説明する保護部材の斜視図である。
【図８】図８は、本発明の第６実施形態を説明する保護部材の斜視図である。
【図９】図９は、本発明の第７実施形態を説明する保護部材の後方側から視た斜視図である。
【図１０】図１０は、本発明の第８実施形態を説明する図であって、図１０（ａ）はアダプタの樹脂充填部側から視た斜視図、図１０（ｂ）はアダプタのコネクタハウジングへの装着側から視た斜視図である。
【図１１】図１１は、絶縁電線が装着された状態のアダプタの斜視図である。
【図１２】図１２は、アダプタが装着されたコネクタハウジングの斜視図である。
【図１３】図１３は、アダプタの樹脂充填部にポッティング材が充填された状態のコネクタハウジングの斜視図である。
【発明を実施するための形態】
【００１８】
以下、本発明の実施形態に係るコネクタ付き電線１（以下単に「コネクタ付き電線１」という。）について説明する。
【００１９】
＜第１実施形態＞
まず、第１実施形態に係るコネクタ付き電線１について説明する。
図１〜図３に示すように、本実施形態に係るコネクタ付き電線１は、複数本の絶縁電線Ｗａと、コネクタ１０と、保護部材２０と、を備えている。
【００２０】
図１において、図中の矢印Ａに示す方向を「前方」と称呼し、矢印Ｂに示す方向を「後方」と称呼し、矢印Ｃに示す方向を「上方」と称呼し、矢印Ｄに示す方向を「下方」と称呼する。
【００２１】
絶縁電線Ｗａは、芯線である導体を絶縁体で被覆したものであり、端末部で絶縁体が剥がされて芯線が露出されている。導体が露出された絶縁電線Ｗａの端部には、圧着端子３１が圧着接続されている。圧着端子３１は、相手側コネクタの端子と導通接続される接続部３２と、絶縁電線Ｗａの端部に圧着される圧着部３３とを有している。本例においては、各絶縁電線Ｗａがアルミニウム電線で構成され、圧着端子３１が銅を主成分とする金属材料で構成されている。つまり、本例においては、絶縁電線Ｗａの導体（芯線）と圧着端子３１とは異種金属によって構成されている。
【００２２】
コネクタ１０は、合成樹脂成形品であるコネクタハウジング１１に絶縁電線Ｗａの末端に接続された圧着端子３１を挿入して収容保持したものである。コネクタハウジング１１は、前面から見て上下よりも左右に長い長方形の略ブロック形状をなし、それぞれ平坦な上壁１１ａ、下壁１１ｂ及び左右側壁１１ｃ，１１ｄからなる外周４面と、前方の端面１１ｅと、後方の端面１１ｆとを有している。なお、コネクタハウジング１１は必ずしも上述した形状を有する必要はなく、種々の形状を有するコネクタハウジングが本発明のコネクタ付き電線に用いられ得る。例えば、コネクタハウジングの形状として、前面から見て左右よりも上下に長い長方形の略ブロック形状、前面から見て正方形の略ブロック形状、前面から見て円形または楕円形の形状、及び、外周面が平坦面ではない形状などが挙げられる。
【００２３】
コネクタハウジング１１は、複数の収容室１３を有している。収容室１３は、左右に配列され、その配列が二段に配置されている。これらの収容室１３は、コネクタハウジング１１の前後方向に沿って形成されており、コネクタハウジング１１の端面１１ｆでの開口部分が収容口１４となっている。絶縁電線Ｗａに接続された圧着端子３１は、コネクタハウジング１１の端面１１ｆの収容口１４から挿し込まれて収容室１３内に収容保持されている。圧着端子３１は、収容室１３に収容されたときに、その後端である絶縁電線Ｗａ側の端部が収容室１３内に位置する長さを有している。収容室１３に収容された圧着端子３１に接続された複数本の絶縁電線Ｗａは、コネクタハウジング１１の収容室１３の収容口１４から後方Ｂへ延びており、コネクタハウジング１１の後方で粘着テープ等によって束ねられて多芯ケーブルＷとされている。なお、コネクタハウジング１１は、必ずしも上述した収容室１３の配置を有する必要はなく、種々の収容室１３の配置を有するコネクタハウジングが本発明のコネクタ付き電線に用いられ得る。
【００２４】
コネクタハウジング１１は、相手側コネクタのコネクタハウジング（図示省略）に嵌合されることで相手側コネクタのコネクタハウジングと接合される。これにより、コネクタハウジング１１の収容室１３に収容された圧着端子３１が相手側コネクタのコネクタハウジングに設けられた端子と導通されることになる。
【００２５】
コネクタハウジング１１の収容室１３は、仕様に応じて圧着端子３１が収容される箇所と圧着端子３１が収容されない箇所とを有する。そして、圧着端子３１が収容される収容室１３が第１収容室１３Ａとされ、圧着端子３１が収容されない収容室１３が第２収容室１３Ｂとされる。
【００２６】
保護部材２０は、例えば、ゴムやエラストマーなどの弾性を有する柔軟な樹脂材料から形成されている。
【００２７】
図３に示すように、保護部材２０は、第１部分２１と、第２部分２２と、第３部分２３とを有している。第１部分２１は、その外形が、コネクタハウジング１１の収容室１３の断面形状と同一形状に形成されており、収容口１４から収容室１３内へ嵌合可能とされている。同様に、第２部分２２は、その外形が、コネクタハウジング１１の収容室１３の断面形状と同一形状に形成されており、収容口１４から収容室１３内へ嵌合可能とされている。
【００２８】
第１部分２１は、圧着端子３１が収容される第１収容室１３Ａに挿入され、その外周面が第１収容室１３Ａの内壁面に密着する。第１部分２１には、挿通孔２５が形成されており、挿通孔２５には、絶縁電線Ｗａが挿通される。挿通孔２５には、中心を通る径方向に沿う複数のスリット２６を有するスリット膜２７が形成されており、挿通孔２５に圧着端子３１及び絶縁電線Ｗａを挿し込むことで、スリット膜２７が押し広げられ、これにより、挿通孔２５に圧着端子３１及び絶縁電線Ｗａが挿通される。
【００２９】
そして、挿通孔２５に絶縁電線Ｗａを通すことで、挿通孔２５の内周面が絶縁電線Ｗａに密着される。このように、第１部分２１は、絶縁電線Ｗａの圧着端子３１が収容された第１収容室１３Ａにおいて、絶縁電線Ｗａに密着する内周面及び第１収容室１３Ａの内壁面に密着する外周面を有する環形状を有すると共に、絶縁電線Ｗａと第１収容室１３Ａとの間の空間を埋めるように第１収容室１３Ａの開口部である収容口１４に挿入される。
【００３０】
第２部分２２は、圧着端子３１が収容されない第２収容室１３Ｂに挿入され、その外周面が第２収容室１３Ｂの内壁面に密着する。この第２部分２２には、挿通孔２５がなく、絶縁電線Ｗａの圧着端子３１が収容されていない第２収容室１３Ｂにおいて、第２収容室１３Ｂの内壁面に密着する外周面を有する柱形状を有すると共に、第２収容室１３Ｂの開口部である収容口１４を埋めるように第２収容室１３Ｂの収容口１４に挿入される。
【００３１】
第３部分２３は、板状に形成されており、第１部分２１及び第２部分２２の後端に一体的に設けられている。これにより、第１部分２１及び第２部分２２は、第３部分２３によって繋がれている。
【００３２】
保護部材２０は、コネクタハウジング１１の後端側から装着される。具体的には、まず、保護部材２０の第１部分２１の挿通孔２５に絶縁電線Ｗａを通す。そして、絶縁電線Ｗａに接続された圧着端子３１を、第１収容室１３Ａに挿入させる。その後、保護部材２０をコネクタハウジング１１に近接させ、第３部分２３がコネクタハウジング１１の端面１１ｆに当接するまで、第１部分２１を第１収容室１３Ａに挿入させるとともに、第２部分２２を第２収容室１３Ｂに挿入させる。
【００３３】
このようにすると、コネクタハウジング１１の後端側に保護部材２０が装着され、圧着端子３１が収容される第１収容室１３Ａ及び圧着端子３１が収容されない第２収容室１３Ｂがそれぞれ防水される。
【００３４】
以上、説明したように、第１実施形態に係るコネクタ付き電線１によれば、絶縁電線Ｗａと第１収容室１３Ａとの間の空間を埋めるように第１収容室１３Ａの開口部である収容口１４に挿入される保護部材２０の第１部分２１によって、絶縁電線Ｗａと第１収容室１３Ａとの間の空間が埋められる。これにより、第１収容室１３Ａの開口部である収容口１４からの絶縁電線Ｗａと圧着端子３１との接続位置への水の浸入を防ぐことができ、非防水コネクタに対して簡易的な防水機能を付加できる。
【００３５】
これにより、例えば、銅を主成分とする金属材料からなる圧着端子３１に対して、異なる材料であるアルミニウムを導体としたアルミニウム電線からなる絶縁電線Ｗａを用いたとしても、ガルバニック腐食を抑制できる。
【００３６】
更に、絶縁電線Ｗａの圧着端子３１が収容されない第２収容室１３Ｂは、保護部材２０の第２部分２２によって埋められる。これにより、第２収容室１３Ｂの収容口１４への水の浸入を防ぐことができる。
【００３７】
更に、第１部分２１と第２部分２２とが第３部分２３によって一体化されているため、コネクタハウジング１１へ保護部材２０を容易に装着できる。
【００３８】
＜第２実施形態＞
次に、第２実施形態に係るコネクタ付き電線１について説明する。
なお、上記第１実施形態に係るコネクタ付き電線１と同一構成部分は、同一符号を付して説明を省略する。後述する第３実施形態〜第８実施形態についても同様である。
【００３９】
図４に示すように、第２実施形態に係るコネクタ付き電線１では、保護部材２０の第１部分２１及び第２部分２２の長さが異なっている。具体的には、第２収容室１３Ｂ内に延びる向きの第２部分２２の長さ（第２収容室１３Ｂの軸線方向における第２部分２２の長さ）が、第１収容室内に延びる向きの第１部分２１の長さ（第１収容室の軸線方向における第１部分の長さ）よりも長い。
【００４０】
第２実施形態に係るコネクタ付き電線１によれば、第１部分２１の第１収容室１３Ａ内へ延びる向きの長さよりも第２部分２２の第２収容室１３Ｂ内へ延びる向きの長さが長くされているので、第２部分２２が第２収容室１３Ｂへ深く挿入されることとなり、コネクタハウジング１１に対する保護部材２０の保持力を高めることができる。
【００４１】
＜第３実施形態＞
次に、第３実施形態に係るコネクタ付き電線１について説明する。
図５に示すように、第３実施形態に係るコネクタ付き電線１では、コネクタハウジング１１の端面１１ｆに、収容室１３とは異なる複数の空洞部１５が形成されている。これらの空洞部１５は、収容室１３が開口している端面１１ｆにおける収容口１４が配置された領域よりも外側に形成されている。
【００４２】
一方、保護部材２０には、コネクタハウジング１１への組み付け側の面に、複数の第４部分２４が設けられている。これらの第４部分２４は、空洞部１５に対応する位置に形成されている。保護部材２０は、コネクタハウジング１１に組み付けられる際に、第４部分２４の各々が、コネクタハウジング１１の空洞部１５の各々の開口部を埋めるように空洞部１５の開口部に挿入される。
【００４３】
第３実施形態に係るコネクタ付き電線１によれば、収容室１３とは異なる空洞部１５に第４部分２４を挿入することにより、コネクタハウジング１１に対する保護部材２０の保持力を更に高めることができる。
【００４４】
＜第４実施形態＞
次に、第４実施形態に係るコネクタ付き電線１について説明する。
図６に示すように、第４実施形態に係るコネクタ付き電線１では、保護部材２０が分断部２８を有している。分断部２８は、第１部分２１の各々の環形状における周方向の１箇所に形成されたスリットからなるもので、挿通孔２５に沿って形成されている。分断部２８は、第１部分２１から第３部分２３にわたって形成されている。この分断部２８を有することにより、保護部材２０の第１部分２１の各々は、周方向に不連続とされている。これにより、保護部材２０の第１部分２１は、分断部２８を広げることで、この広げた分断部２８を介して絶縁電線Ｗａへの装着及び絶縁電線Ｗａからの取り外しが可能とされている。分断部２８は、第１部分２１の各々を収容室１３へ嵌合させることにより、端面同士が密着する。そのため分断部２８が第１部分２１に設けられていても、防水機能は実質的に損なわれない。なお、図６では、第２部分２２のない保護部材２０を示している。
【００４５】
第４実施形態に係るコネクタ付き電線１によれば、保護部材２０の第１部分２１に分断部２８を設けることで、分断部２８から絶縁電線Ｗａを通し、絶縁電線Ｗａへ保護部材２０を容易に後付けで取り付けることができる。
【００４６】
なお、挿通孔２５に絶縁電線Ｗａが挿通されない第１部分２１では、その第１部分２１がコネクタハウジング１１の収容室１３へ圧入されることで中心側へ圧縮されて挿通孔２５が塞がれる。これにより、絶縁電線Ｗａが挿通されない挿通孔２５においても防水が図られる。
【００４７】
保護部材２０の第１部分２１は、絶縁電線Ｗａが接続された圧着端子３１を収容室１３に収容した後に絶縁電線Ｗａに装着して収容室１３に挿し込んでも良く、また、絶縁電線Ｗａに予め装着して収容室１３へ圧着端子３１とともに挿し込んでも良い。
【００４８】
＜第５実施形態＞
次に、第５実施形態に係るコネクタ付き電線１について説明する。
図７に示すように、第５実施形態に係るコネクタ付き電線１では、保護部材２０の第１部分２１の外周面に、環状凸部２９が形成されている。環状凸部２９は、周方向にわたって周面を周回するように形成されている。この環状凸部２９は、保護部材２０が収容室１３に嵌め込まれた状態で、第１部分２１の外周面から収容室１３の内壁面に向けて突出されている。
【００４９】
第５実施形態に係るコネクタ付き電線１によれば、保護部材２０を収容室１３へ嵌め込むことで、環状凸部２９が収容室１３の内壁面に密着する。これにより、収容室１３の内壁面への密着力を高めて収容室１３からの抜けを防止することができ、経時使用しても防水機能をより確実に維持できる。
【００５０】
＜第６実施形態＞
次に、第６実施形態に係るコネクタ付き電線１について説明する。
図８に示すように、第６実施形態に係るコネクタ付き電線１では、保護部材２０の第１部分２１及び第２部分２２の外周面に、環状凸部２９が形成されている。環状凸部２９は、軸方向に間隔をあけた二箇所に形成されており、それぞれ周方向にわたって周面を周回するように形成されている。これらの環状凸部２９は、保護部材２０が収容室１３に嵌め込まれた状態で、第１部分２１及び第２部分２２の外周面から収容室１３の内壁面に向けて突出されている。
【００５１】
また、保護部材２０の第２部分２２は、その径方向の厚さが第３部分２３側の端部から離れるにつれて徐々に小さくなるテーパ形状とされている。
【００５２】
第６実施形態に係るコネクタ付き電線１によれば、保護部材２０を収容室１３へ嵌め込むことで、環状凸部２９が収容室１３の内壁面に密着する。これにより、第１部分２１及び第２部分２２の収容室１３の内壁面への密着力を高めて収容室１３からの抜けを防止することができ、経時使用しても防水機能をより確実に維持できる。
【００５３】
更に、保護部材２０の第２部分２２は、その径方向の厚さが第３部分２３側の端部から離れるにつれて徐々に小さくなるテーパ形状とされている。よって、このテーパ形状によって収容室１３への挿入の容易化を図ることができる。しかも、第２部分２２は、後端側に向かうにしたがって中心側への圧縮率が高くなるので、第２部分２２の収容室１３の内壁面への密着力が高められ、防水性がより高められることとなる。
【００５４】
なお、上記の例では、第２部分２２の径方向の厚さを第３部分２３側の端部から離れるにつれて徐々に小さくなるテーパ形状としたが、第１部分２１の径方向の厚さも第３部分２３側の端部から離れるにつれて徐々に小さくなるテーパ形状としても良い。この場合、第１部分２１は、テーパ形状によって収容室１３への保護部材２０の挿入の容易化を図ることができ、また、第１部分２１が分断部２８を有する場合では、保護部材２０を収容室１３へ挿入するときに、分断部２８が自然に閉じるので、防水性を確実に確保できる。しかも、後端側に向かうにしたがって中心側への圧縮率が高くなるので、第１部分２１の収容室１３の内壁面への密着力が高められ、防水性がより高められることとなる。
【００５５】
＜第７実施形態＞
次に、第７実施形態に係るコネクタ付き電線１について説明する。
図９に示すように、第７実施形態に係るコネクタ付き電線１では、保護部材２０が、第１部分２１の環形状の中空部を通る平面によって分割された複数の部材片の集合体となっている。換言すると、保護部材２０がコネクタハウジング１１への装着方向に沿って複数の部材片２３ａ〜２３ｃに分割されており、一の部材片（例えば２３ａ）が有する凹部と他の部材片（例えば２３ｂ）が有する凹部とによって第１部分の環形状の内周面（即ち、挿通孔２５）が形成されている。保護部材２０の分割箇所は、第１部分２１の挿通孔２５の内周面を通る位置とされている。なお、図９では、第２部分２２のない保護部材２０を示している。
【００５６】
この第７実施形態に係るコネクタ付き電線１によれば、保護部材２０を、第１部分２１の挿通孔２５の内周面を通る位置でコネクタハウジング１１への装着方向に沿って分割することで、この分割箇所に絶縁電線Ｗａを配置させて絶縁電線Ｗａへ保護部材２０を容易に後付けで取り付けることができる。
【００５７】
なお、挿通孔２５に絶縁電線Ｗａが挿通されない第１部分２１では、その第１部分２１がコネクタハウジング１１の収容室１３へ圧入されて圧縮されることで挿通孔２５が塞がれる。これにより、絶縁電線Ｗａが挿通されない挿通孔２５においても防水が図られる。
【００５８】
なお、保護部材２０は、絶縁電線Ｗａが接続された圧着端子３１を収容室１３に収容した後に絶縁電線Ｗａに装着して収容室１３に挿し込んでも良く、また、絶縁電線Ｗａに予め装着して収容室１３へ圧着端子３１とともに挿し込んでも良い。
【００５９】
＜第８実施形態＞
次に、第８実施形態に係るコネクタ付き電線１について説明する。
図１０（ａ）及び図１０（ｂ）に示すように、第８実施形態に係るコネクタ付き電線１では、アダプタ４１を用いたポッティングによってコネクタハウジング１１の収容室１３の収容口１４を防水する。このアダプタ４１は、底面板４２と、この底面板４２の周囲に形成された側面板４３とを有した箱型形状に形成されており、これらの底面板４２及び側面板４３で囲われた部分が樹脂充填部４４とされている。アダプタ４１は、その底面板４２側がコネクタハウジング１１の端面１１ｆに装着される。アダプタ４１は、圧着端子３１及び絶縁電線Ｗａが挿通可能な挿通孔４５を有している。これらの挿通孔４５には、中心を通る径方向に沿う複数のスリット４６を有するスリット膜部４７が形成されている。これらスリット膜部４７を有する挿通孔４５は、コネクタハウジング１１の収容室１３の収容口１４に対応した位置に設けられている。
【００６０】
アダプタ４１を用いてコネクタハウジング１１の収容室１３の収容口１４を防水するには、まず、図１１に示すように、樹脂充填部４４側からスリット膜部４７へ圧着端子３１を挿し込んで絶縁電線Ｗａを挿通させる。
【００６１】
次に、図１２に示すように、コネクタハウジング１１の端面１１ｆにアダプタ４１の底面板４２側を接着剤等によって固定する。
【００６２】
その後、図１３に示すように、アダプタ４１の樹脂充填部４４にホットメルト等のポッティング材４８を充填した後、ポッティング材４８を硬化させる。このとき、ポッティング材４８は、側面板４３によって外部へこぼれることなく樹脂充填部４４に充填され、また、高粘度で表面張力性が高いため、絶縁電線Ｗａが通されていないスリット膜部４７から収容室１３内へ流れ込むこともない。
【００６３】
このように、アダプタ４１をコネクタハウジング１１に装着し、アダプタ４１の樹脂充填部４４にポッティング材４８を充填して硬化させることで、圧着端子３１が挿し込まれた収容室１３及び圧着端子３１が挿し込まれていない収容室１３を一括して確実に塞ぎ、防水処理できる。
【００６４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６５】
ここで、上述した本発明に係るコネクタ付き電線の実施形態の特徴をそれぞれ以下（１）〜（６）に簡潔に纏めて列記する。
（１）
複数の収容室（１３）を有するコネクタ（１０）と、末端に端子（３１）が取り付けられた一又は複数の電線（Ｗａ）と、前記複数の収容室を保護する保護部材（２０）と、を備えたコネクタ付き電線（１）であって、
前記端子（３１）は、
前記収容室（１３）に収容されたときに該端子の電線側の端部が前記収容室内に位置することになる長さを有し、
前記保護部材（２０）は、
前記電線の端子が収容された収容室である第１収容室（１３Ａ）において、前記電線に密着する内周面及び前記第１収容室に密着する外周面を有する環形状を有すると共に、前記電線と前記第１収容室との間の空間を埋めるように前記第１収容室に挿入される第１部分（２１）と、
前記電線の端子が収容されていない収容室である第２収容室（１３Ｂ）において、前記第２収容室に密着する外周面を有する柱形状を有すると共に、前記第２収容室の開口部を埋めるように前記第２収容室に挿入される第２部分（２２）と、
前記第１部分及び前記第２部分を繋ぐ第３部分（２３）と、を有する、
コネクタ付き電線。
（２）
上記（１）に記載のコネクタ付き電線において、
前記第２収容室（１３Ｂ）の軸線方向における前記第２部分（２２）の長さが、前記第１収容室（１３Ａ）の軸線方向における前記第１部分（２１）の長さよりも長い、
コネクタ付き電線。
（３）
上記（１）又は上記（２）に記載のコネクタ付き電線において、
前記コネクタ（１０）が、
前記収容室とは異なる空洞部（１５）であって、前記収容室が開口している端面に開口する空洞部（１５）を有し、
前記保護部材（２０）が、
前記空洞部において、前記空洞部に密着する外周面を有する柱形状を有すると共に、前記空洞部の開口部を埋めるように前記空洞部に挿入される第４部分（２４）、を有する、
コネクタ付き電線。
（４）
上記（１）〜上記（３）の何れか一項に記載のコネクタ付き電線において、
前記保護部材（２０）が、
前記第１部分（２１）の前記環形状における周方向の少なくとも１箇所において、前記第１部分が不連続である分断部（２８）を有する、
コネクタ付き電線。
（５）
上記（１）〜上記（４）の何れか一項に記載のコネクタ付き電線において、
前記保護部材（２０）が、
前記第１部分（２１）の外周面から前記第１収容室（１３Ａ）の内壁面に向けて突出すると共に前記外周面を周回する環状凸部（２９）、
前記第１部分（２１）の径方向の厚さが前記保護部材の電線側の端部から離れるにつれて徐々に小さくなるテーパ形状、
前記第２部分（２２）の外周面から前記第２収容室（１３Ｂ）の内壁面に向けて突出すると共に前記外周面を周回する環状凸部（２９）、及び、
前記第２部分（２２）の径方向の厚さが前記保護部材の電線側の端部から離れるにつれて徐々に小さくなるテーパ形状、
の少なくとも１つを有する、
コネクタ付き電線。
（６）
上記（１）〜上記（５）の何れか一項に記載のコネクタ付き電線において、
前記保護部材（２０）が、
前記第１部分（２１）の前記環形状の中空部を通る平面によって分割された複数の部材片の集合体である、
コネクタ付き電線。
【符号の説明】
【００６６】
１    ：コネクタ付き電線
１０  ：コネクタ
１３  ：収容室
１３Ａ：第１収容室
１３Ｂ：第２収容室
１５  ：空洞部
２０  ：保護部材
２１  ：第１部分
２２  ：第２部分
２３  ：第３部分
２４  ：第４部分
２８  ：分断部
２９  ：環状凸部
３１  ：圧着端子（端子）
Ｗ    ：多芯ケーブル（電線）
Ｗａ  ：絶縁電線（電線）
【図１】
2017027785.tif 000003
【図２】
2017027785.tif 000004
【図３】
2017027785.tif 000005
【図４】
2017027785.tif 000006
【図５】
2017027785.tif 000007
【図６】
2017027785.tif 000008
【図７】
2017027785.tif 000009
【図８】
2017027785.tif 000010
【図９】
2017027785.tif 000011
【図１０】
2017027785.tif 000012
【図１１】
2017027785.tif 000013
【図１２】
2017027785.tif 000014
【図１３】
2017027785.tif 000015